(57)【要約】【課題】  省エネおよび省排水を実現可能な布染色機の布貯蔵タンクの傾斜筒体を提供する。【解決手段】  ヘッド部１０１、布案内パイプ１４、およびヘッド部１０１と布案内パイプ１４との間に設けられている布貯蔵タンク１１を有する布染色機１０の布貯蔵タンク１１において、地面に最も近い位置である第一位置Ａと布案内パイプ１４に接続されている末端である第二位置Ｂとの間に位置し、異なる傾斜角度を有する複数の筒体により傾斜状を構成し、第二位置Ｂから第一位置Ａに向かうにしたがって低くなる布貯蔵タンクの傾斜筒体であって、上層部１１１、傾斜部１１２、および下層部１１３を備える。【選択図】図４
0003198917.tif 000002
【実用新案登録請求の範囲】
【請求項１】
ヘッド部、布案内パイプ、および前記ヘッド部と前記布案内パイプとの間に設けられている布貯蔵タンクを有する布染色機において、前記布貯蔵タンクの一部である布貯蔵タンクの傾斜筒体であって、地面に最も近い位置である第一位置と前記布案内パイプに接続されている末端である第二位置との間に位置し、前記第二位置から前記第一位置に向かうにしたがって低くなる構成を有し、上層部、傾斜部、および下層部を備え、
前記上層部は、一端が前記布案内パイプに接続されており、他端が前記傾斜部に接続されており、一端から他端に向かうにしたがって低くなるよう傾斜しており、水平面に対して５°より小さい傾斜角度を有し、
前記下層部は、一端が前記傾斜部に接続されており、他端が前記第一位置に位置し、一端から他端に向かうにしたがって低くなるよう傾斜しており、水平面に対して５°より小さい傾斜角度を有し、
前記傾斜部は、一端が前記上層部に接続されており、他端が下層部に接続されており、一端から他端に向かうにしたがって低くなるよう傾斜しており、水平面に対して５°〜１５°の範囲内の傾斜角度を有することを特徴とする布貯蔵タンクの傾斜筒体。
【請求項２】
前記上層部は、前段部および後段部を有し、
前記前段部は、水平面に対して５°より小さい傾斜角度を有し、
前記後段部は、漸縮管であることを特徴とする、請求項１記載の布貯蔵タンクの傾斜筒体。
【請求項３】
前記傾斜部は、複数のサブ傾斜部を有し、複数のサブ傾斜部の傾斜角度の合計が５°〜１５°の範囲内の値であることを特徴とする、請求項１記載の布貯蔵タンクの傾斜筒体。
【請求項４】
前記下層部は、円弧状の筒体である円弧部を介して前記ヘッド部に接続されており、
前記円弧部は、９００ｍｍより大きい曲率半径を有することを特徴とする請求項１記載の布貯蔵タンクの傾斜筒体。
【考案の詳細な説明】
【技術分野】
【０００１】
本考案は、布染色機の布貯蔵タンクの傾斜筒体に関する。
【背景技術】
【０００２】
従来、染色加工業は水や電力の消費が多く、環境汚染が起こりやすい産業である。故に、布染色機の浴比を如何に下げて省エネと節水とを達成するかが課題であった。
【考案の概要】
【考案が解決しようとする課題】
【０００３】
従来の布染色機の滞留槽は、たてのＵ型及びよこの長型の２種類に分けられる。たてのＵ型染色機は浴比が小さいが（１：４〜１：６の間）、構造に問題があり、反物（ｃｌｏｔｈ）に皺が寄りやすく、染色に適する布が少ない。よこの長型の染色機の場合、布貯蔵タンク筒体の前後の水平傾斜角度が３°前後あり、このような設計では反物の染色において皺が寄りにくいが、浴比が大きく（１：５〜１：１０の間）、社会的な要求には応えられない。
【０００４】
また、従来の長形節水型布染色機（図１Ａ及び図１Ｂ参照）は、長形布染色機の布貯蔵タンク３０の底網板３１の下方に、隔離板３２が筒体３３の内壁に溶接されて設置され、閉鎖室３４が形成され、染液３５が密閉空間内に進入しないように隔離させる。また、閉鎖室３４の高い箇所にはダクト３６が溶接されてヘッド部３７の上層に連通され、均圧管路が形成され、反物３８が高温で染色される際に閉鎖室３４内部及び筒体３３内の圧力を均衡に保つ役割を果たす。さらに、閉鎖室３４の底部には排水バルブ３４１が設置され、内部の復水の排除に使用される。この構造では浴比が下がるが、省エネ効果が明確ではなく、約１００分の３程度浴比を下げるのみである。また、底網板の下方に設けられている節水溝は熱膨張及び冷却縮小が発生すると裂傷が起こりやすく、染液が裂傷を通って節水溝内部に堆積すると汚染源となり、色跡問題が発生する。メンテナンス時には先ず網板を開いて裂傷の修復を行うが、その工程は煩雑であった。
【０００５】
図２は３つの異なる傾斜角度の布貯蔵タンク筒体４１、布貯蔵タンク筒体４２、及び布貯蔵タンク筒体４３で構成される節水型布染色機４０である。この布染色機では小さい浴比を有するが（１：５〜１：７の間）、３つの布貯蔵タンク筒体４１、布貯蔵タンク筒体４２、及び布貯蔵タンク筒体４３の傾斜角度が大きく、染色される反物が下層布貯蔵タンク筒体４１内に堆積して皺が寄り、反物の染色品質に影響を及ぼすため、染色に適した布が少なかった。
【０００６】
図３は節水型布染色機の滑り台状の布貯蔵タンクの構造を示す。滑り台状の布貯蔵タンクは、１つの大きい傾斜角度及び２つの小さい傾斜角度を有する布貯蔵タンク筒体１０により構成される。緩斜面層布貯蔵タンク１１２の傾斜角度α２は１５°〜３５°の間の値に設定され、上層槽区１１１の傾斜角度α１は１５°以下の値に設定され、下層槽区１１３の傾斜角度α３は２０°以下の値に設定される。この構成によって浴比を下げる効果が得られる。但し、単一の布貯蔵タンクの長さが４ｍ以上であり、緩斜面層布貯蔵タンク１１２が長さ１ｍ以上であり、傾斜角度が２５°以上であるので、緩斜面層布貯蔵タンク１１２の前後の落差が４６ｃｍ以上である。この場合、連結される上層布貯蔵タンク１１１の地面からの高さがヘッド部１０１の高さより高くなり、また、上層布貯蔵タンク１１１の布案内パイプ（ｇｕｉｄｉｎｇ  ｐｉｐｅ）１４の高さがヘッド部１０１内部のノズル１０２の高さより高くなるため、このような構造では反物２１の布染色機内での循環運転がスムーズに行右ことができない。
【０００７】
そこで、本考案者は上記の欠点が改善可能と考え、鋭意検討を重ねた結果、合理的かつ効果的に課題を改善する本考案の提案に到った。
【０００８】
本考案は、上述のような従来の問題に鑑みてなされたものであり、その目的は、布染色機の布貯蔵タンクの傾斜筒体を提供することにある。即ち、単一の布貯蔵タンクの総長が４ｍ以上、或いは単一の布貯蔵タンクの布染色容量が２００ｋｇ以上の大容量の長形の布染色機に対して、水の使用量を減少し、浴比を有効的に低下し、省エネおよび省排水を実現可能な布染色機の布貯蔵タンクの傾斜筒体を提供することにある。
【０００９】
本考案の他の目的は、反物に皺が寄るのを防ぎ、布染の品質を向上させる布染色機の布貯蔵タンクの傾斜筒体を提供することにある。
【課題を解決するための手段】
【００１０】
上記課題を解決するために、本考案の布貯蔵タンクの傾斜筒体は、ヘッド部、布案内パイプ、およびヘッド部と布案内パイプとの間に設けられている布貯蔵タンクを有する布染色機の布貯蔵タンクにおいて、地面に最も近い位置である第一位置と布案内パイプに接続されている末端である第二位置との間に位置し、異なる傾斜角度を有する複数の筒体により傾斜状を構成し、第二位置から第一位置に向かうにしたがって低くなる布貯蔵タンクの傾斜筒体であって、上層部、傾斜部、および下層部を備える。
上層部は、一端が布案内パイプに接続されており、他端が傾斜部に接続されており、一端から他端に向かうにしたがって低くなるよう傾斜しており、水平面に対して５°より小さい傾斜角度を有する。
下層部は、一端が傾斜部に接続されており、他端が第一位置に位置し、一端から他端に向かうにしたがって低くなるよう傾斜しており、水平面に対して５°より小さい傾斜角度を有する。
傾斜部は、一端が上層部に接続されており、他端が下層部に接続されており、一端から他端に向かうにしたがって低くなるよう傾斜しており、水平面に対して５°〜１５°の範囲内の傾斜角度を有する。
これにより、傾斜部の傾斜角度が上層部および下層部の傾斜角度より大きい構成になり、前後両端に大きな高低差が形成される。よって、染液が高低差により上層部から下層部へ流入し、上層部内に滞留する染液を減少する。また、上層部および下層部の傾斜角度が５°より小さいため、反物が上層部から傾斜部を経由して下層部に滑り込むことで、反物が圧迫され皺が寄ることを抑制し、布染の品質を大幅に向上させ、染色可能な布の種類を拡大することができる。
【００１１】
本考案では、反物が圧迫されないため、皺が寄らず、布染の品質を大幅に向上させ、さらに染色可能な布の種類を拡大することができる。
【図面の簡単な説明】
【００１２】
【図１Ａ】従来の長形節水型の布染色機の構造を示す模式図である。
【図１Ｂ】従来の長形節水型の布染色機の筒体の構造を示す断面図である。
【図２】従来の長形節水型の布染色機の構造を示す模式図である。
【図３】従来のスライド状の布貯蔵タンクの構造を示す模式図である。
【図４】本考案の第一実施形態による布染色機の布貯蔵タンクを示す模式図である。
【図５】本考案の第二実施形態による布染色機の布貯蔵タンクを示す模式図である。
【図６】本考案の第三実施形態による布染色機の布貯蔵タンクを示す概念図である。
【考案を実施するための形態】
【００１３】
本考案の実施形態を図面に基づいて説明する。以下にて説明する実施形態は、本考案の実用新案登録請求の範囲を限定するものではない。また、以下に説明される構成の全てが、本考案の必須要件であるとは限らない。
【００１４】
（第一実施形態）
以下、本考案の第一実施形態による布貯蔵タンクの傾斜筒体を図４に基づいて説明する。布染色機１１の染色容量は２００ｋｇ以上であり、布染色機１０の布貯蔵タンク１１の長さは６ｍである。布貯蔵タンク１１の長さとは、布染色機１０のヘッド部１０１の布貯蔵タンク１１から最も地面に近い位置である第一位置Ａから、布染色機１０の布貯蔵タンク１１と布案内パイプ１４とが接続する位置である第二位置Ｂまでの長さである。布貯蔵タンク１１は、複数段の異なる傾斜角度を有する筒体により構成される。傾斜方式は、第二位置Ｂからヘッド部１０１の方向に下向きに傾斜する方式であり、以下で述べる傾斜角度とは布貯蔵タンク１１の底部に対する傾斜角度を指す。ここでは、上層部１１１は、一端が布染色機１０の布案内パイプ１４と接続されており、他端が第三位置Ｃで傾斜部１１２と接続されており、一端から他端まで、下に向いた傾斜しており、傾斜角度α１を有する。傾斜角度α１は、５°より小さく設定されている。
下層部１１３は、一端が第四位置Ｄで傾斜部１１２に接続されており、他端が第一位置Ａで円弧部１１４に接続されている。下層部１１３は、一端から他端まで、下に向いた傾斜しており、傾斜角度α３を有する。傾斜角度α３は５°より小さく設定されている。円弧部１１４の曲率半径Ｒは９００  ｍｍより大きく設定されている。
傾斜部１１２は、上層部１１１と下層部１１３との間に位置されている。その傾斜方式は、第三位置Ｃから第四位置Ｄまで、下に向いて傾斜しており、傾斜角度α２を有する。傾斜角度α２は５°〜１５°の間の値に設定されている。
【００１５】
従って、本考案に係る傾斜部１１２は、傾斜角度が５°〜１５°の間に設定されることで、所定の高さの落差が生まれ、同時に緩斜面の効果を有する。
【００１６】
（第二実施形態）
図５は本考案の第二実施形態に係る布貯蔵タンクの傾斜筒体を示す。第一実施形態との差異を以下の通り説明する。布染色機１０の布案内パイプ１４が布貯蔵タンク１１の下方に装設されている。且つヘッド部１０１の下層が上層部１１１に接続されている。なお、上層部１１１の傾斜角度α１は５°より小さく設定され、傾斜部１１２の傾斜角度α２は５°〜１５°の間の値に設定される。下層部１１３の傾斜角度α３は５°より小さく設定される。
【００１７】
（第三実施形態）
図６は本考案の第三実施形態に係る布貯蔵タンクの傾斜筒体を示す。第二実施形態との差異を以下の通り説明する。上層部１１１及び傾斜部１１２の傾斜方式は、二段に分けて傾斜する。即ち、上層部１１１は、傾斜角度がα１である前段部１１１ａおよび傾斜角度がα４である後段部１１１ｂを有する。傾斜角度α１は５°より小さく設定されている。後段部１１１ｂは、前段部１１１ａと密接し漸縮管である。後段部１１１ｂから傾斜部１１２に進入しないため、傾斜角度α４は需要に応じて決定される。つまり、上層部１１１の前段部１１１ａの傾斜角度α１が５°より小さければよい。なお、傾斜部１１２は、傾斜角度がα２である第一サブ傾斜部及び傾斜角度がα５である第二サブ傾斜部を有する。傾斜角度α２及び傾斜角度α５の合計の総角度は５°〜１５°の間の値である。
【００１８】
図４〜図６に示すように、本実施形態では、異なる傾斜角度を有する布貯蔵タンクは、中段の部分の傾斜角度が上層部及び下層部の傾斜角度より大きくなるように構成されているため、前後両端に大きな高低差が形成される。よって、染液が上層部と下層部との高低差に従って下層部に迅速に流入し、上層部に滞留する染液を減少させる。これにより、水の使用量を大幅に削減することができる。詳しく説明すると、染液２２は上層部１１１と下層部１１３との高低差に従って、下層部１１３に迅速に流入し、上層部１１１に滞留する染液２２が減少する。よって、水の使用量を大幅に削減することができる。さらに、上層部１１１及び下層部１１３の傾斜角度が小さく形成されているため、反物２１が水平傾斜角度の小さい上層部１１１から、傾斜部１１２を経て傾斜角度が小さい下層部１１３に滑り込み、反物２１が布貯蔵タンク１１の傾斜角度が大き過ぎないために圧迫されず、皺が寄らないために布染の品質が大幅に向上し、染色可能な布の種類を拡大することができる。
【００１９】
本明細書に開示された実施形態は、本考案を限定するものではなく、説明するためのものであり、このような実施形態によって本考案の思想と範囲が限定されるものではない。本考案の範囲は実用新案登録請求の範囲により解釈すべきであり、それと同等の範囲内にある全ての技術は、本考案の権利範囲に含まれるものと解釈すべきである。
【符号の説明】
【００２０】
１０：布染色機、
１０１：ヘッド部、
１１：布貯蔵タンク、
１１１：上層部、
１１１ａ：前段部、
１１１ｂ：後段部、
１１２：傾斜部、
１１３：下層部、
１１４：円弧部、
１４：布案内パイプ、
２１：反物、
２２：染液、
Ａ：第一位置、
Ｂ：第二位置、
Ｃ：第三位置、
Ｄ：第四位置、
Ｒ：曲率半径、
α１：傾斜角度、
α２：傾斜角度、
α３：傾斜角度、
α４：傾斜角度、
α５：傾斜角度。
【図１Ａ】
0003198917.tif 000003
【図１Ｂ】
0003198917.tif 000004
【図２】
0003198917.tif 000005
【図３】
0003198917.tif 000006
【図４】
0003198917.tif 000007
【図５】
0003198917.tif 000008
【図６】
0003198917.tif 000009